【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
内部に収納空間を有し、縦方向の一方側に蓋を有し、他方側に底を有する金属性のハウジングと、
前記ハウジングの縦方向における底側に冷媒流路を形成する流路形成体と、
直流電力を交流電力に変換するインバータ回路を構成するための半導体チップを内蔵し、前記半導体チップに電流を流すための直流端子と交流電流を流すための交流端子と前記半導体チップの動作を制御するための制御端子とが外部に突出するように設けられている複数のパワー半導体モジュールと、
前記冷媒流路に併設して配置され、直流端子を備えたコンデンサモジュールと、
前記コンデンサモジュールや前記冷媒流路より、前記ハウジングの縦方向における蓋側に配置された交流バスバーアッセンブリと、
前記パワー半導体モジュールの制御端子に半導体チップの制御信号を供給するドライバ回路と、有し、
前記コンデンサモジュールの直流端子と前記各パワー半導体モジュールの直流端子とが電気的に接続され、
前記交流バスバーアッセンブリは、前記冷媒流路に沿って伸びる幅広導体からなる複数の交流バスバーと該交流バスバーアッセンブリを固定するための複数の固定部とを有し、
前記幅広導体からなる各交流バスバーは、それぞれ幅広導体の狭い面が縦方向を向き、幅広面が縦方向を横切る方向を向いていて、前記各交流バスバーの幅広面が空間を介して対向するように配置されており、
前記交流バスバーアッセンブリの各交流バスバーは対応するパワー半導体モジュールの交流端子に接続されていることを特徴とする電力変換装置。
【請求項２】
請求項１に記載の電力変換装置において、
前記交流バスバーアッセンブリより蓋側に、前記ドライバ回路を有する基板が配置され、
前記パワー半導体モジュールの交流端子と対応する前記交流バスバーアッセンブリとが溶接により接続され、前記ドライバ回路を有する基板と前記パワー半導体モジュールの制御端子とが半田により接続されていることを特徴とする電力変換装置。
【請求項３】
内部に収納空間を有する金属性のハウジングと、
前記ハウジングの内部に配置され、直流端子を備えた平滑用のコンデンサモジュールと、
前記コンデンサモジュールに沿って冷媒流路を形成する流路形成体と、
直流電力を交流電力に変換するインバータ回路を構成するための上下アームの直列回路を内蔵し、前記上下アームの直列回路に電流を流すための直流端子と交流電力を出力するための交流端子と前記上下アームの動作を制御するための制御端子とが外部に突出するように設けられているパワー半導体モジュールと、
前記コンデンサモジュールや前記冷媒流路より、前記ハウジングの縦方向における一方側に配置された交流バスバーアッセンブリと、
前記交流バスバーアッセンブリに対してさらに縦方向の一方側に配置されたドライバ回路と、有し、
前記冷媒流路に挿入されて複数の前記パワー半導体モジュールが配置され、
前記コンデンサモジュールの直流端子から前記パワー半導体モジュールの直流端子に直流電力が供給されるように電気的に接続され、
前記交流バスバーアッセンブリは、前記冷媒流路に沿って伸びる複数の幅広の交流バスバーと該交流バスバーアッセンブリを固定するための固定部とを有し、
前記パワー半導体モジュールは、両面に冷却面を有し、前記縦方向に細長くしかも流路に沿って細長い形状をなす半導体モジュールケースと前記半導体モジュールケースから前記縦方向の一方側に突出する前記直流端子と前記交流端子とを有し、さらに前記直流端子や前記交流端子に対してさらに前記縦方向の一方側に長く突出する前記制御端子とが設けられており、
前記交流バスバーアッセンブリは対応する前記パワー半導体モジュールの交流端子に電気的に接続され、
前記ドライバ回路は対応する前記パワー半導体モジュールの制御端子に上アームあるいは下アームを制御するための制御信号を供給し、
前記交流バスバーアッセンブリの前記幅広の交流バスバーはそれぞれ狭い面が縦方向となり、前記冷媒流路に沿ってそれぞれ伸びる形状をなしており、交流バスバーアッセンブリを構成する交流バスバーの幅広面が空間を介して互いに対向するように配置されていることを特徴とする電力変換装置。
【請求項４】
内部に収納空間を有し、縦方向の一方側に蓋を有し、他方側が底によりふさがれている金属性のハウジングと、
前記ハウジングの内部の側部に沿って冷媒流路を形成する流路形成体と、
直流電力を交流電力に変換するインバータ回路を構成するための半導体チップを内蔵し、前記半導体チップに電流を流すための直流端子と交流電流を流すための交流端子と前記半導体チップの動作を制御するための制御端子とが外部に突出するように設けられたパワー半導体モジュールと、
前記冷媒流路に対して中央側に配置されて前記流路形成体に固定され、直流端子を備えたコンデンサモジュールと、
前記コンデンサモジュールや前記冷媒流路より、前記ハウジングの縦方向における一方側に配置された交流バスバーアッセンブリと、
ドライバ回路と、を有し、
複数の前記パワー半導体モジュールが冷媒流路に挿入されて固定されており、
前記交流バスバーアッセンブリは幅広の複数の交流バスバーと前記交流バスバーアッセンブリを固定するための固定部とを備えており、
交流バスバーはそれぞれ幅の狭い面が縦方向を向いており、前記それぞれの幅広面が互いに空間を介して対向するように配置されており、
前記固定部により前記交流バスバーアッセンブリが前記流路形成体に固定され、
前記ドライバ回路が前記流路形成体に固定されることを特徴とする電力変換装置。
【請求項５】
内部に収納空間を有し、縦方向の一方側に蓋を有し、他方側が底によりふさがれている金属性のハウジングと、
前記ハウジングの内部に配置され、前記ハウジングの側部に沿って冷媒流路を形成する流路形成体と、
直流電力を交流電力に変換するインバータ回路を構成するための半導体チップを内蔵し、前記半導体チップに電流を流すための直流端子と交流電流を流すための交流端子と前記半導体チップの動作を制御するための制御端子とが外部に突出するように設けられ、前記冷媒流路に挿入されて固定されている複数のパワー半導体モジュールと、
前記冷媒流路に対して中央側に配置されて前記流路形成体に固定され、直流端子を備えた平滑用のコンデンサモジュールと、
前記コンデンサモジュールや前記冷媒流路より、前記ハウジングの縦方向における一方側に配置された交流バスバーアッセンブリと、
前記パワー半導体モジュールの制御端子に制御信号を供給するドライバ回路と、を有し、
前記コンデンサモジュールの直流端子は、前記コンデンサモジュールから突出して対応する前記パワー半導体モジュールの前記直流端子の方に伸び、その端部が前記パワー半導体モジュールの電流端子に沿って縦方向における一方側に伸びる形状をなし、前記コンデンサモジュールの直流端子の端部が前記パワー半導体モジュールの直流端子に溶接により接続され、
交流バスバーアッセンブリが有する幅広形状をなす交流バスバーは、前記パワー半導体モジュールの交流端子の方に伸び、その端部が前記交流端子に沿って縦方向における一方側に伸びる形状を成し、前記端部が前記交流端子に溶接により接続され、
前記ドライバ回路は前記パワー半導体モジュールの制御端子に半田により接続され、
前記コンデンサモジュールから突出して対応する前記パワー半導体モジュールの直流端子に接続される直流バスバーは、前記コンデンサモジュールから前記パワー半導体モジュールの電流端子の方にのびる第１の部分と、その端部が前記直流端子に沿って縦方向における一方側に伸びる第２の部分とを有し、前記第２の部分で溶接により前記パワー半導体モジュールの直流端子に接続されており、
交流バスバーアッセンブリが有する幅広導体の交流バスバーは、前記パワー半導体モジュールの交流端子の方にのびる第１の部分と、その端部が前記交流端子に沿って縦方向における一方側に折れ曲がって伸びる第２の部分とを有し、前記第２の部分で溶接によりパワー半導体モジュールの交流端子に接続されていることを特徴とする電力変換装置。
【請求項６】
内部に収納空間を有し、縦方向の一方側に蓋を有し、他方側が底により塞がれているとともに前記自動車用変速機に固定するための固定部を他方側の外部に有する金属性のハウジングと、
前記金属性のハウジングの内部に配置され、冷媒を流すための冷媒流路を形成する流路形成体と、直流電力を交流電力に変換するためのインバータ回路を構成する半導体チップを内蔵するパワー半導体モジュールと、直流端子を有するコンデンサモジュールと、前記パワー半導体モジュールが発生する交流電流を流すための交流バスバーアッセンブリと、
電流センサと、を有し、
前記コンデンサモジュールに沿って前記冷媒流路が配置されるように前記コンデンサモジュールと前記冷媒流路とを並べて配置し、
前記交流バスバーアッセンブリは前記コンデンサモジュールに対して前記縦方向における一方側に配置され、
前記交流バスバーアッセンブリは、交流電流を流すための複数の交流バスバーと、前記複数の交流バスバーを保持すると共に固定用の固定部を有する保持部材と、を備えており、前記交流バスバーアッセンブリは前記保持部材の前記固定部によって前記流路形成体に固定され、
前記交流バスバーを流れる電流を計測するための前記電流センサを前記交流バスバーアッセンブリに固定したことを特徴とする電力変換装置。
【請求項７】
内部に収納空間を有し、縦方向の一方側に蓋を有し、他方側が底によりふさがれているとともに前記変速機に固定するための固定部を他方側の外部に有する金属性のハウジングと、
前記金属性のハウジングの内部の両側部にそれぞれ冷媒を流すための冷媒流路を形成する流路形成体と、直流電力を交流電力に変換するパワー半導体モジュールと、前記平滑用のコンデンサモジュールとを配置し、
前記コンデンサモジュールに対して、前記縦方向における一方側に交流電流を流すための交流バスバーアッセンブリを配置し、
前記交流バスバーを流れる電流を計測するための電流センサを、前記コンデンサモジュールより、前記縦方向における一方側であって、前記冷媒を流す軸方向に対して、両側部に配置された前記冷媒流路によって挟まれる範囲内に、配置したことを特徴とする電力変換装置。
【請求項８】
請求項７に記載の電力変換装置において、
前記交流バスバーアッセンブリは前記パワー半導体モジュールとコンデンサモジュールとに対して、前記縦方向における一方側に配置されており、
前記交流バスバーアッセンブリはさらに前記流路形成体に固定され、
前記流路形成体が前記ハウジングに収納されていることを特徴とする電力変換装置。